(57)【要約】  【課題】ステープルが指示されたプリントジョブの実行中にプリントが一時中断された場合、再開時にもう一度1ページ目からプリントするかどうかをユーザが決定することができる画像記録装置を提供する。  【解決手段】プリントジョブ中にジャムが発生すると、プリント再開を自動で行うか手動で行うかが判別され、手動の場合には最初からプリントを行うか続きからプリントを行うかの選択欄を備えた問い合わせ画面が表示され、ユーザの選択により１ページ目からまたは続きのページからプリントを再開する。一方、プリント再開を自動で行う場合は、既にプリントされた枚数が上限枚数、例えば、１０枚より多いか否かを判定し、多い場合には、続きのページからプリントを再開し、少ない場合には、１ページ目からの再プリント動作を行う。  【選択図】図５
2005297294.tif 000002
【特許請求の範囲】
【請求項１】
画像データをプリントする画像記録部と、上記画像記録部によりプリントされた記録紙を綴じるステープラ部と、表示・操作部と、上記各部を制御する制御部とを備え、ステープルが指示されたプリント動作が中断された場合、上記制御部が上記表示・操作部に最初の頁からプリントするか否かを問合せる表示を行うことを特徴とする画像記録装置。
【請求項２】
画像データをプリントする画像記録部と、上記画像記録部によりプリントされた記録紙を綴じるステープラ部と、表示・操作部と、上記各部を制御する制御部とを備え、ステープルが指示されたプリント動作が中断された場合、プリントの再開を手動で行うか自動で行うかを上記表示・操作部で設定することができ、自動でのプリント再開の場合、上記制御部が自動的にプリントを再開することを特徴とする画像記録装置。
【請求項３】
請求項２に記載の画像記録装置において、プリントの再開を自動で行う場合、最初の頁からプリントする際の再プリントの上限枚数を上記表示・操作部で設定できることを特徴とする画像記録装置。
【請求項４】
請求項１〜請求項３のいずれかに記載の画像記録装置において、部数の途中からプリントを再開した場合、上記制御部が上記ステープラ部でのステープルを禁止することを特徴とする画像記録装置。
【発明の詳細な説明】
【技術分野】
【０００１】
本発明は、画像データを用紙にプリントする画像記録装置に関し、特にプリントされた記録紙を綴じるステープル機能を有する画像記録装置に関する。
【背景技術】
【０００２】
最近、複写機能、ファクシミリ機能、プリント機能、スキャナ機能等を有するデジタル複合機あるいは通常のプリンタ等の画像記録装置は、画像記録後に排出された記録紙を纏めてその一部にステープルを打ち込む等の後処理を行う後処理装置が組み合わされて使用される場合がある。
【発明の開示】
【発明が解決しようとする課題】
【０００３】
上記のようなステープル機能を備えた画像記録装置において、ステープルが指示されたプリントジョブの実行中に用紙ジャムなどでプリントが一時的に中断された場合、部数の途中からプリントを再開すると、一部のページが抜けている等の可能性があるので、ステープルを行うことができない。
【０００４】
一方、プリントの再開時にもう一度最初のページからプリントを行うと、ステープルを行うことは可能であるが、例えば、１００枚プリントする途中に９９枚目でジャムが発生した場合、もう一度１００枚プリントすると、すでにプリントした紙が無駄になるという問題があった。
【０００５】
本発明は、上記の問題に鑑みてなされたもので、ステープルが指示されたプリントジョブの実行中にプリントが一時中断された場合、再開時にもう一度1ページ目からプリントするかどうかをユーザが決定することができる画像記録装置を提供することを目的とする。
【課題を解決するための手段】
【０００６】
上述の目的を達成するため、請求項１に係る発明の画像記録装置は、画像データをプリントする画像記録部と、上記画像記録部によりプリントされた記録紙を綴じるステープラ部と、表示・操作部と、上記各部を制御する制御部とを備え、ステープルが指示されたプリント動作が中断された場合、上記制御部が上記表示・操作部に最初の頁からプリントするか否かを問合せる表示を行うことを特徴とする。
【０００７】
また、請求項２に係る発明は、画像データをプリントする画像記録部と、上記画像記録部によりプリントされた記録紙を綴じるステープラ部と、表示・操作部と、上記各部を制御する制御部とを備え、ステープルが指示されたプリント動作が中断された場合、プリントの再開を手動で行うか自動で行うかを上記表示・操作部で設定することができ、自動でのプリント再開の場合、上記制御部が自動的にプリントを再開することを特徴とする。
【０００８】
さらに、請求項３に係る発明は、請求項２に記載の画像記録装置において、プリントの再開を自動で行う場合、最初の頁からプリントする際の再プリントの上限枚数を上記表示・操作部で設定できることを特徴とする。
【０００９】
また、請求項４に係る発明は、請求項１〜請求項３のいずれかに記載の画像記録装置において、部数の途中からプリントを再開した場合、上記制御部が上記ステープラ部でのステープルを禁止することを特徴とする。
【発明の効果】
【００１０】
請求項１に係る画像記録装置によれば、ステープルが指示されたプリントが中断された場合、表示・操作部に最初の頁からプリントするか否かを問合せる表示がなされ、ユーザはもう一度１ページ目からプリントするか、続きからプリントするかを状況に応じて決定することができるので、必要な場合、ステープルを行うことができるとともに、紙の無駄を防止することができる。
【００１１】
また、請求項２、請求項３に係る発明の画像記録装置によれば、ステープルが指示されたプリント動作が中断された場合、プリントの再開を手動で行うか自動で行うかを設定でき、また、プリントの再開を自動で行う場合、最初の頁からプリントする場合の再プリントの上限枚数を設定することができ、すでにプリントされた枚数が設定された所定の枚数以下の場合には、自動的に最初のページからプリントされるので、作業効率を上げることができる。
【００１２】
また、請求項４に係る画像記録装置によれば、部数の途中からプリントを再開した場合、ステープラ部でのステープルが禁止されるので、一部のページが抜けている等の不完全な状態でのステープルを防止することができる。
【実施例】
【００１３】
以下、本発明の画像記録装置を一例として、コピーモード、プリンタモード、ファックスモード等を有するデジタル複合機に適用した場合の実施例について、図面を用いて説明する。図１はデジタル複合機の制御系の構成を示す概略ブロック図であり、図に示すように、デジタル複合機はＣＰＵ１、ＲＯＭ（Read Only Memory）２、ＲＡＭ（Random Access Memory）３、表示・操作部４、読取部５、画像メモリ６、記録部７、コーデック８、モデム９、ネットワーク制御ユニットＮＣＵ１０、ステープラ部１１及びＬＡＮインターフェース（Ｉ／Ｆ）１２から構成され、各部がバス１３を介して接続されている。
【００１４】
ＣＰＵ１はバス１３を介してデジタル複合機のハードウェア各部を制御するとともに、ＲＯＭ２に記憶されたプログラムに基づいて各種のプログラムを実行し、ＲＯＭ２はデジタル複合機の動作に必要な種々のプログラムや操作メッセージを予め記憶している。また、ＲＡＭ３はＳＲＡＭ等で構成され、プログラムの実行時に発生する一時的なデータを記憶するとともに、ステープルが指示されたプリントジョブの実行中にプリントが一時的に中断された場合、プリントの再開を自動的に行うか手動で行うかを判断するための手動フラグを記憶する手動フラグ記憶領域３ａと、自動でプリントを再開する場合の再プリントの上限枚数を記憶する上限枚数記憶領域３ｂと、ステープル機能を禁止するステープル禁止フラグを記憶するステープル禁止フラグ記憶領域３ｃとを備えている。
【００１５】
表示・操作部４は、デジタル複合機の動作状態を表示したり、種々の機能の操作画面の表示を行う表示部と、デジタル複合機を操作するための複数のキーよりなり、図２に示すように、表示部を構成するＬＣＤ表示部２１と多数の操作キーから構成されている。ＬＣＤ表示部２１には、タッチパネルスイッチが配設され、ＬＣＤ表示部２１に表示された項目部分を押下することで、対応する項目の選択や機能の実行を行うことができる。また、操作キーとして、テンキー２２、スタートキー２３、リセットキー２４、ストップキー２５、複数のワンタッチダイヤルキー２６、十字キー２７、リターンキー２８、セットキー２９、ＦＡＸ切替キー３０、コピー切替キー３１、スキャナ切替キー３２等の各種キーが設けられている。なお、ＬＣＤ表示部２１によりこれらの操作キーの一部又は全部を代用することも可能である。
【００１６】
読取部５はオートドキュメントフィーダー（ＡＤＦ）やフラットベッドスキャナ（ＦＢＳ）等の読取り用原稿載置台を備え、ＣＣＤ等を利用したスキャナで原稿を読み取り、白黒２値に変換したドットイメージデータを出力する。また、画像メモリ６は、ＤＲＡＭ等を用いて構成され、送信すべきイメージデータまたは受信したイメージデータあるいはコピーすべきイメージデータを記憶し、記録部７は電子写真方式等のプリンタ装置を備え、受信したデータ、コピー原稿データあるいは外部のパーソナルコンピュータ（ＰＣ）から送信されたプリントデータをプリントアウトする。この記録部７のプリンタ装置には紙詰まりを検知する用紙ジャムセンサ７ａ及び排紙トレイの用紙の有無を検出するトレイ用紙有無センサ７ｂが設けられている。
【００１７】
コーデック８は送信する画像情報を一定の符号化法によりデータ圧縮する一方、受信した画像データを復号して元の情報に復元するものである。モデム９はバス１３に接続されており、ファクシミリ通信が可能なファックスモデムとしての機能を有し、このモデム９は同様にバス１３に接続されたＮＣＵ１０と接続されている。ＮＣＵ１０はアナログ回線の閉結及び開放の動作を行うハードウェアであり、必要に応じてモデム９を電話回線に接続する。
【００１８】
また、ステープラ部１１は、記録部７で記録された用紙にステープル処理を行うものであり、図３の感光体ドラム４１、定着器４２等を備えた記録機構図に示すように、記録済用紙の排紙トレイ４４の用紙端末側に配置されたステープラ４５により構成される。このステープラ４５は用紙端末近傍に移動可能に配置されており、ステープル動作時のみステープル処理位置に移動し、その他の時には記録紙の移動と干渉しない位置に後退するようになっており、用紙端末の任意の位置で記録紙をステープルで綴じることができる。また、排紙トレイ４４には上記のトレイ用紙有無センサ７ｂが設けられている。
【００１９】
また、ＬＡＮインターフェース１２はＬＡＮ（Local Area Network）に接続され、外部のパーソナルコンピュータ（ＰＣ）１５からの信号やデータをＬＡＮ１４を介して受信する一方、ＬＡＮ１４に対して信号やデータを送信するものであり、信号変換やプロトコル変換などのインターフェース処理を実行する。
【００２０】
デジタル複合機は上記のような構成を備えており、ファクシミリ送信時には、原稿の画像データが読取部５で読み取られ、コーデック８で圧縮されて画像メモリ６に蓄積される。この圧縮された画像データが画像メモリ６から読み出されてモデム９で変調され、ＮＣＵ１０から公衆電話回線を通して通信相手先に送信される。また、ファクシミリ受信時には、受信した画像データがモデム９で復調され、画像メモリ６に蓄積された後、コーデック８で復号されて記録部７により印刷される。すなわち、図３において、記録用紙は搬送ローラ４３により感光体ドラム４１に送り込まれ、感光体ドラム４１上の現像済みのトナー像が記録紙に転写される。記録紙に転写されたトナー像は定着器４２により定着された後、記録紙が排紙トレイ４４に排出される。
【００２１】
このデジタル複合機において、ステープルモードでのプリントを行っている途中に、用紙ジャムなどでプリントが一時的に中断された場合に、プリント再開を自動で行うか、手動で行うかを設定する際の操作について、以下、説明する。
表示部２１の画面からステープル機能を指示すると、表示部２１にステープル位置設定、フィニッシャプリント再開設定等の機能設定選択画面が表示され、この画面でフィニッシャプリント再開設定を選択すると、表示部２１に、図４に示すような、フィニッシャプリント再開設定画面が表示される。ユーザはこの画面でプリントが一時的に中断された場合に、プリント再開を自動的に行うか手動で行うかを選択することができ、ユーザが表示部２１の「手動」欄を押下した場合には、ＲＡＭ３の手動フラグ記憶領域３ａに記憶されている手動フラグがセットされる。一方、ユーザがテンキー２２から、例えば、１０を入力して「自動」欄を押下した場合には、ＲＡＭ３の手動フラグ記憶領域３ａに記憶されている手動フラグがリセットされるとともに、枚数「１０」がＲＡＭ３の上限枚数記憶領域３ｂに記憶される。
【００２２】
次に、ＬＡＮ１４を介して接続されている外部のＰＣ１５からステープルが指示されたプリントジョブの実行を命令された場合の作用について、図５に示すフローチャートにより説明する。
プリントジョブを開始すると、ＣＰＵ１は用紙ジャムセンサ７ａの出力によりジャムが発生したか否かを判別する（ステップ１０１）。ジャム有りと判別した場合、ＣＰＵ１はジャムが解除されたか否かを判別する（ステップ１０２）。そして、ユーザが詰まった用紙を排除する等してジャムを解除し、ジャムが解除されたと判別した場合には、ＣＰＵ１はＲＡＭ３の手動フラグ記憶領域３ａに記憶されている手動フラグがセットされているか否かを判別する（ステップ１０３）。
【００２３】
この手動フラグがセットされている場合には、ＣＰＵ１はＲＯＭ２から図６に示す問合せ画面を読み出し、ユーザが最初からプリントを行うか続きからプリントを行うかの選択欄を備えた問い合わせ画面を表示部２１に表示する（ステップ１０４）。次に、ＣＰＵ１はユーザが「最初から」欄を押下したか、「続きから」欄を押下したかを判別することにより、１ページ目から再プリントするか否かを判別する（ステップ１０５）。
【００２４】
そして、ユーザが「最初から」欄を押下した場合には、ＣＰＵ１はＲＯＭ２から「トレイの用紙を排除してください。」とのメッセージを読み出し、表示部２１に表示する（ステップ１０６）。次に、ＣＰＵ１は用紙有無センサ７ｂの出力に基づいて排紙トレイ４４の用紙が取り除かれたか否かを判別し（ステップ１０７）、用紙が取り除かれていない場合には、ステップ１０７に戻る。そして、ユーザがトレイ４４の用紙を取り除くと、ＣＰＵ１は１ページ目から再プリントを開始し（ステップ１０８）、ステップ１０１に戻る。
【００２５】
一方、ステップ１０３において手動フラグがリセットされていると判別した場合には、ＣＰＵ１は既にプリントされた枚数がＲＡＭ３の上限枚数記憶領域３ｂに記憶されている枚数、例えば、１０枚より多いか否かを判定する（ステップ１０９）。既にプリントされた枚数が１０枚より多い場合には、ＣＰＵ１はＲＡＭ３のステープル禁止フラグ記憶領域３ｃに記憶されているステープル禁止フラグをセットする（ステップ１１０）。次に、ＣＰＵ１は続きのページからプリントを再開した（ステップ１１１）後、ステップ１０１に戻る。
【００２６】
また、ステップ１０９において、既にプリントされた枚数が１０枚より少ないと判別した場合には、ＣＰＵ１はステップ１０６に移り、上記と同様に１ページ目からの再プリント動作を行う。
さらに、ステップ１０５において、ユーザが「続きから」欄を押下した場合には、ＣＰＵ１はステップ１１０に移り、ステープル禁止フラグをセットした後、続きのページからプリントを再開する。
【００２７】
一方、ステップ１０１において、ジャムが発生していないと判別した場合には、ＣＰＵ１はプリントすべきページの最終ページのプリントが終了したか否かを判別し（ステップ１１２）、最終ページのプリントが終了していない場合には、ステップ１０１に戻る。
ステップ１１２において、最終ページのプリントが終了したと判別した場合には、ＣＰＵ１はＲＡＭ３のステープル禁止フラグ記憶領域３ｃに記憶されているステープル禁止フラグがセットされているか否かを判別する（ステップ１１３）。テープル禁止フラグがセットされていない場合は、ＣＰＵ１はステープラ動作を行う。すなわち、ステープラ４５がステープル処理位置に移動し、排紙トレイ４４上の記録紙に対してステープルで綴じる処理を行う。なお、このステープル処理を行う場合には、図示しない機構により記録済用紙の位置合わせが行われるが、詳細は省略する。
また、ステップ１１３でテープル禁止フラグがセットされていると判別した場合、ＣＰＵ１は上記のステープル動作を行うことなく、プログラムを終了する。
【００２８】
以上のように、ステープルが指示されたプリント動作がジャム発生等により中断された場合、表示部に最初のページからプリントするか否かを問合せる表示がなされるので、ユーザはもう一度１ページ目からプリントするか、続きからプリントするかを状況に応じて決定することができる。
また、部数の途中から記録した場合、ステープラ部でのステープルが禁止されるので、一部のページが抜けている等の不完全な状態でのステープルを防止することができ、さらに、プリントの再開を自動で行う場合、最初のページからプリントを行う場合の再プリントの上限枚数を設定することができるので、すでにプリントされた枚数が設定された所定の枚数以下の場合には、自動的に最初のページからプリントされ、作業効率を上げることができる。
【００２９】
なお、上記の実施例では、用紙ジャムによりプリントを一時中断する場合について説明したが、カセットの用紙切れ等によりプリントが中断された場合にも本発明の画像記録装置を適用することができる。
また、上記の実施例では、本発明の画像記録装置を複写機能、ファクシミリ機能、プリント機能、スキャナ機能等を有するデジタル複合機に適用した例を説明したが、本発明の画像記録装置は、通常のプリンタにも適用することが可能である。
【図面の簡単な説明】
【００３０】
【図１】本発明の画像記録装置を実施したデジタル複合機の概略ブロック図である。
【図２】デジタル複合機の操作パネルを示す図である。
【図３】画像記録部を含む後処理部の詳細を示す図である。
【図４】プリント再開設定画面を示す図である。
【図５】ステープルが指示されたプリントジョブを実行する場合の作用を示すフローチャートである。
【図６】プリントを１ページから再開するか否かの問合せ画面を示す図である。
【符号の説明】
【００３１】
１  ＣＰＵ
２  ＲＯＭ
３  ＲＡＭ
４  表示・操作部
５  読取部
６  画像メモリ
７  記録部
８  コーデック
９  モデム
１０  ＮＣＵ
１１  ステープラ部
１２  ＬＡＮ  Ｉ／Ｆ
１３  バス
１４  ＬＡＮ
１５  ＰＣ
７ａ  用紙ジャムセンサ
７ｂ  トレイ用紙有無センサ
２１  表示部
４１  感光体ドラム
４２  定着器
４３  搬送ローラ
４４  排紙トレイ
４５  ステープラ
【図１】
2005297294.tif 000003
【図２】
2005297294.tif 000004
【図３】
2005297294.tif 000005
【図４】
2005297294.tif 000006
【図５】
2005297294.tif 000007
【図６】
2005297294.tif 000008